(57)【要約】      （修正有）【課題】水道水圧が０．４０Ｍｐａ以上の高水圧であっても０．１５Ｍｐａ以下の低水圧であっても、機能を損なわず使用できる水道蛇口接続型自己発電式オゾン水生成器を提供する。【解決手段】高水圧の場合、発電機を回す水車(タービン)への流水を制御するバルブ８を設け、水車の回転速度を定めることで水車と同期回転する発電機より安定した電力を得ることができ、同時に高水圧による異常高速運転で生じる機器障害を回避できる。低水圧の場合は外部より電源を供給することで当該器の発電機による電力を得られない場合の電力を供給する事で当該器の発電以外の機能は発揮できる状態となり、広範囲の水道水圧に対応した水道蛇口接続型自己発電式オゾン水生成器を提供できる。【選択図】図３
0003149008.tif 000002
【実用新案登録請求の範囲】
【請求項１】
水道給水蛇口に取付ける自己発電式オゾン水生成器であって、そのオゾン水生成方式は発生オゾンガスを水に混入させる所謂イジェクター式によるオゾン水生成器であり、当該器のオゾン発生用電源は当該器に備え付けた発電機により当該器を通過する水流圧で発電機を稼働させることにより発電された電力を用いる。その場合、水道水流圧を制御する装置を組み込んで安定水流圧を得ることの出来る水道給水蛇口取り付型自己発電式オゾン水生成器。
【請求項２】
水道給水蛇口に取付ける自己発電式オゾン水生成器であって、極端に水流圧が弱い場合はオゾン発生電源の電力が賄えないので電源を外部から取入れる必要がある。その外部電源を取入れるための接続コネクターと外部電源を取入れるためのスイッチイング機能電気回路を有した水道給水蛇口取り付型自己発電式オゾン水生成器。
【考案の詳細な説明】
【技術分野】
【０００１】
本考案は、水道給水蛇口に設置する自己発電式オゾン水生成器で有り、当該機器を通過した水は水道水そのままとオゾン水と二系統で放出することが出来る水道給水蛇口取付型自己発電式オゾン水生成器に関するものである。
【背景技術】
【０００２】
現存の水道給水蛇口に設置する自己発電式オゾン水生成器は、通常の水道水圧(０．１５Ｍｐａから０．４Ｍｐａ)が保たれて居る環境での使用は発電電力が正常に確保でき問題無く、使用に当たっては実用上十分であった。
【０００３】
しかし、共用水道の供給者における供給水圧は供給側の判断で地理上の地形起伏が大きいので高圧で供給する、一方節水効果を喚起のため低水圧で供給し節水効果を引き出すなどの固有状況により、地域間で広範囲の水圧で供給されて居るのが現状である。
また、集合住宅の場合は屋上にタンクを設置し一旦そのタンクに確保した水を放水して居りこの場合の水圧もかなり低水圧になって仕舞う。その場合、高水圧下で当該器を使用した場合、機器の対応限界を超え発電機の高速回転がもたらされ当該器保護回路が働き発電を中止してしまう。一方低水圧の場合はオゾン発生に必要とする電力が得られない。従って或る一定範囲の水圧でしか正常使用が出来なくなって仕舞うと言う欠点があった。
【０００４】
この障害は当該器を設置したいが水道水圧に左右されず満足に使用することに於いていささか不安が有り、特に当該器に付いて知識を持ち合わせて無い方が販売店で購入し、自己で水道蛇口に取付け満足した性能を得ることに多少の問題があった。
【０００５】
この改善策として、高水圧の場合は発電機と同期回転する水車(タービン)への流入水圧量を制御すること。つまり水道給水栓の解放状態を手動で調整することで支障なく当該器を使うことが出来る。しかし、ねじ込み式の水道給水栓は比較的容易に調整できるがスライド式の水道給水栓はノブを前後或いは左右に移動させてバルブの開閉をするのでノブの移動量が少ないため当該器に流入する水量の微調整が難しいのが現状である。
一方低水圧の場合は、当該器に組み込まれた発電機での発電では電力が確保できないため当該器は使用に供さないのが現状である。
【特許文献１】特開２００５−１６９２９７号公報
【非特許文献１】不明
【考案の開示】
【考案が解決しようとする課題】
【０００６】
解決しようとする問題点は、水道供給水圧が高圧(０．４５Ｍｐａ以上)で有っても低圧(０．１５Ｍｐａ以下)で有っても実用上の障害を取り除くことにある。
【課題を解決するための手段】
【０００７】
本考案は、供給水道水圧が高圧(０．４５Ｍｐａ以上)でも低圧(０．１５Ｍｐａ以下)でも容易に当該機器を安定した状況で使用することが出来るのを最も主要な特徴とする。
【考案の効果】
【０００８】
本考案の水道蛇口接続型自己発電式オゾン水生成器は、供給水道水圧が高水圧の場合、放水しながらロックネジ６を指で摘んで緩めバルブ８を最良の位置まで回したあとロックネジでバルブを固定することが容易にできる。また水圧が低い場合は備え付けのＤＣコネクターにＡＣ‐ＤＣアダプターからのジャックを挿入するだけのでその他難しい設定は無いから誰でも設定できるという利点がある。
【考案を実施するための最良の形態】
【０００９】
高水圧の場合、流入水を制御するだけで有りバルブ、漏水防止Оリング、バルブ位置ロックナットの３点で外観形状を大きくせず実現した。低水圧の場合も外観形状を大きくすること無く実現した。
【実施例１】
【００１０】
図１は、本考案機器の実施例外観図であって、６は水道水圧が高圧の場合バルブ８を最適に位置合わせをした後にバルブを固定するロックナットである。
【００１１】
図２は、本考案機器の実施例を示す断面図であって、水道給水栓から水の流れを示すもので、水道蛇口３から流入した水は矢印の方向に進みＡの穴から水車(タービン)(図面上省略)の入ってる本体ケース５に進むことで水車が廻り、水車と同期回転する発電機(図面上省略)により発電がなされ電力を得ることができる。
【００１２】
Ａの穴から侵入する水量を制御する事で水車(タービン)の回転速度を同時に制御する事ができる。その機構は図３に示す様に、バルブ８はパイプ形状で竹を割った様な形状であり回転することで水車への水流口穴Ａを開閉でき、当該器固有の最適水流圧を考慮し、任意の位置で固定でき高水圧下での発電機異常高速運転を防止することが可能となり安定した発電電力を得る事が出来る。
【００１３】
Ａの穴から侵入する水量を制御することで発電機の異常高速運転が回避でき安定した発電電力を得る事が出来ると同時に発電機への過剰負荷も防止でき機器全体の寿命を延ばすことが可能となった。
【００１４】
図３は部品構成を示す分解図である。
【実施例２】
【００１５】
図４は本考案機器の水道水圧が低水圧のためオゾン発生に必要な電力の発電が得られない場合に於ける外部電源を入力した時の外部電源供給のスイッチイング回路を示す実施例であって、本回路の最大特徴は水道蛇口３から流入した水流圧での発電が一定の電圧以上である場合、たとえＤＣジャックで当該器とＡＣ‐ＤＣアダプターからの外部電源が接続してあっても外部電源からの電源供給はなされない。更に全く当該機器の発電機による発電がなされない場合においても外部電源からの電源供給は無いという特徴がある。
従って、発電機が廻り或る一定の発電電圧が発生しない場合は外部からの電源供給が無いと言うことで、スイッチの「ＯＮ」「ＯＦＦ」の操作をすること無く水道給水栓の開閉により流れた水で当該器の発電機が作動し当該器のオゾン発生に必要な電力が発電出来てるか否かで自動的にスイッチングされるから厄介なスイッチング操作を全く無視することができ利便性に多いに役立つ。
【産業上の利用可能性】
【００１６】
高水圧対策として最小限の部品を追加するだけで容易に水流圧の調整が可能となった、低水圧対策としては外部電源を供給するが当該器とＡＣ‐ＤＣアダプターからの外部電源を接続するだけで一切電源部の操作を必要しないので簡便に使用する事が可能となり、この二種の対策を取ったことで全範囲の水道水圧に適用できる。
【図面の簡単な説明】
【００１７】
【図１】本考案の外観図（実施例１）
【図２】本考案の水の流れを示す断面図（実施例１）
【図３】本考案の部品構成を示す分解図（実施例１）
【図４】本考案の外部電源用スイッチイング回路図（実施例２）
【符号の説明】
【００１８】
１    水流方向切替レバー
２    出水方向切替ホルダー
３    水道蛇口
４    水道蛇口セットネジ
５    本体ケース
６    ロックナット
７    ＤＣジャック
８    バルブ
９    Оリング
Ａ    本体内の水流入口
Ｂ    本体内の水流出口
Ｃ    水道原水出水口
Ｄ    オゾン水出水口
【図１】
0003149008.tif 000003
【図２】
0003149008.tif 000004
【図３】
0003149008.tif 000005
【図４】
0003149008.tif 000006
【手続補正書】
【提出日】平成20年9月8日(2008.9.8)
【手続補正１】
【補正対象書類名】実用新案登録請求の範囲
【補正対象項目名】全文
【補正方法】変更
【補正の内容】
【実用新案登録請求の範囲】
【請求項１】
水流圧により発電する発電機と、少なくとも前記発電機により供給される電力により稼働するオゾン発生用電源と、発生したオゾンガスを水に混入させるイジェクターとを備えた自己発電式オゾン水生成器であって、前記自己発電式オゾン水生成器は、水流量を制御する装置を備えた事を特徴とする自己発電式オゾン水生成器。
【請求項２】
外部電源を取り入れるための接続コネクターと、外部電源を取り入れるためのスイッチング機能電気回路とを有した請求項１記載の自己発電式オゾン水生成器。
【請求項３】
水道給水蛇口に取付けることを特徴とする請求項１または２記載の自己発電式オゾン水生成器。
【請求項４】
オゾン水生成器に水を供給する工程と、前記水流圧で発電機を稼働させる工程と、少なくとも前記発電された電力を用いてオゾン発生用電源を稼働させる工程と、前記オゾン発生用電源より生成されるオゾンガスを前記水に供給する工程を備えたオゾン水生成方法において、前記オゾン水生成方法は、流量を制御する装置によって流量圧が制御できることを特徴としたオゾン水生成方法。
【手続補正書】
【提出日】平成20年10月15日(2008.10.15)
【手続補正１】
【補正対象書類名】実用新案登録請求の範囲
【補正対象項目名】請求項４
【補正方法】変更
【補正の内容】
【請求項４】
オゾン水生成器に水を供給する工程と、前記水流圧で発電機を稼働させる工程と、少なくとも前記発電された電力を用いてオゾン発生用電源を稼働させる工程と、前記オゾン発生用電源より生成されるオゾンガスを前記水に供給する工程を備えたオゾン水生成器において、前記オゾン水生成器は、流量を制御する装置によって流量圧が制御できることを特徴としたオゾン水生成器。